(57)【要約】 【課題】ねじ締結時にねじ部に発生する応力集中を分散させ、破壊性、耐疲労性、ゆるみ止め効果に優れた雄ねじを提供する。【解決手段】雌ねじのねじ溝より、ねじ山の幅が大きい方と小さい方が交互に現れるねじ山を設け、少なくとも大きい方にはスリットが入っており、かつ大きい方は軸部の片側に偏在しているので、ねじの山締結固定時に径方向に力が掛かり緩み止め機能が働く。【選択図】  図１
2015187493.tif 000002
【特許請求の範囲】
【請求項１】
頭部と軸部からなる雄ねじであり、軸部には雌ねじのねじ溝の幅より少なくともねじ山の頂側のフランク面においてそのねじ山の幅が大きいねじ山と、雌ねじのねじ溝の幅と同じかそれよりねじ山の幅が小さいねじ山の２種が存在し、少なくとも該大きいねじ山の中心にはスリットが入っており、該大きいねじ山と該小さいねじ山は交互に現れ、該大きいねじ山は雄ねじの軸の一方の半周未満の範囲にのみ存在する雄ねじ。
【請求項２】
ねじ山の螺旋が１周する毎に１箇所ずつねじ山の中心にスリットが開いた方とスリットが閉じた方とが交互に存在し、それぞれが軸方向に並んで位置している構造であることを特徴とする雄ねじ。
【請求項３】
ねじ山の中心に全周スリットが入っており、ねじ山の螺旋が１周する毎に１箇所ずつ幅が広い方と幅が狭い方とが交互に存在し、それぞれが軸方向に並んで位置していることを特徴とする雄ねじ。
【請求項４】
ねじ素材に所望のピッチの１／２のピッチかつ所望のねじ条数の２倍の条数のねじ溝を転造する第１転造工程と、前記第１転造工程において形成したねじ溝を１本おきに、谷部として成形し、第１転造工程で成形した２条のねじ山を寄せて山頂に沿ってスリットを有する１条のねじ山として成形する第２転造工程とから成るスリット入りねじの製造方法において、第３工程として一部のねじ山形成溝の幅が他の部分のねじ山形成溝より狭くなった平ダイスを用いて、スリットによって分断されたねじ山をねじ山の中心に向かって更に寄せることで、同一の雄ねじにスリットが開いたねじ山だけでなくスリットが閉じたネジ山やスリットの幅が狭いねじ山も形成することを可能にする請求項１、２及び３に記載の雄ねじの製造方法。
【請求項５】
頭部と軸部からなる雄ねじであり、軸部にはねじ山を有し、一部のねじ山のフランク面に法線方向に突出する凸部が設けられていることを特徴とし、凸部を有するねじ山は雄ねじの軸の一方の半周未満の範囲にのみ配置されており、少なくとも凸部が設けられている所以外のねじ山の中心にはスリットが入っていることを特徴とする雄ねじ。
【発明の詳細な説明】
【技術分野】
【０００１】
本発明は住宅用建築構造用部材の接合や自動車部品の締結などに使用される耐震性や 安全性を向上させるのに優れた雄ねじに関する。
【背景技術】
【０００２】
土木建築構造物、自動車、建築機械などの接合には広くねじが使用されている。その中でも特に安全確保が要求される箇所にはさまざまなゆるみ防止品が使用されている。
【０００３】
雄ねじに緩み止め機能を持たせたものとして代表的なものにはセルフロックねじがあり、セルフロックねじのねじ山は雌ねじのねじ溝より大きく作られており、かつねじ山の中心にスリットが入っているため、ねじ山に弾性が有る。
【先行技術文献】
【特許文献】
【０００４】
【特許文献１】特願平１１−２５４０７９
【特許文献２】特開平７−２５９８３３
【特許文献３】特開平１１−５１０３３
【発明の概要】
【発明が解決しようとする課題】
【０００５】
本発明の目的は通常の雄ねじや雌ねじと同様の締結方法で緩み止め効果を発揮する構造の雄ねじを提供することであり、その焦点は径方向の外力によるゆるみの問題をいかに防ぐかである。
【０００６】
ゆるみ止め機能を備える雄ねじの一種であるセルフロックねじは締結により雄ねじに軸力が生じなくても、一般的に締結回転時に空転トルクが掛かる仕組みであるため緩みにくいが嵌めにくく作業性が悪いという欠点が有る。
【０００７】
セルフロックねじは、常に空転トルクが掛かるようにするために、少なくとも雄ねじの径の大きさに精度が求められ許容公差の範囲は一般的なねじより狭いという欠点がある。
【０００８】
上記のような許容公差に関する欠点を改善するため特願平１１−２５４０７９では、軸部の径方向の断面形状が略三角形である雄ねじと従来のセルフロックねじの特徴を組み合わせたものが考案されている。
【０００９】
特願平１１−２５４０７９の雄ねじは上述のように軸部が略三角形であるのにねじ部の径方向の断面の外周形状は通常のねじと同じく円周であるため軸線から外周までの距離が一定でなくねじ山の大きさは螺旋が一周する間に複数回大小を繰り返し、それに合わせてスリットの長さも変化し、ねじ山の中心に設けられたスリットの溝幅も広いところと狭いところが複数個所ある。
【００１０】
特願平１１−２５４０７９のねじは上記の通り螺旋の一周毎にスリットの溝幅の広いところと狭いところが複数個所存在するため従来のセルフロックねじと同じく雄ねじと雌ねじの軸線が相対的にずれ動かない。だから雄ねじの軸線から外周までの距離が最大になる軸部の三角形の頂点部分において雄ねじのねじ山は雌ねじのねじ溝に引っ掛かかりやすく作業性が劣る点は従来のセルフロックねじとそれほど変わりはなく、軸部の三角形の頂点部分でしかスプリングバック効果が確認されない場合は却って従来のセルフロックねじより緩みやすくなる恐れもある。
【００１１】
特開平７−２５９８３３のねじは、ねじ山の一部を変形させフランク面に凸部を有する変形部を設けることで有効径が未変形部に比べ大きくなり、雌ねじとの高い密着性を実現したものであるが、突起部が雌ねじのフランク面に食い込むので雌ねじのフランク面が傷ついてしまうという課題がある。
【課題を解決するための手段】
【００１２】
本発明に係る請求項１は頭部と軸部からなる雄ねじであり、軸部には雌ねじのねじ溝の幅より少なくともねじ山の頂側のフランク面においてそのねじ山の幅が大きいねじ山と、雌ねじのねじ溝の幅と同じかよりねじ山の幅が小さいねじ山の２種が存在し、少なくとも該大きいねじ山の中心にはスリットが入っており、該大きいねじ山と該小さいねじ山は交互に現れ、該大きいねじ山は雄ねじの軸の片側の半周に偏在している雄ねじである。
【００１３】
本発明に係る請求項２は雄ねじのねじ山の構造であり、ねじ山の１ピッチに１箇所ずつねじ山の中心にスリットが開いた方とスリットとが閉じた方とが交互に現れ、それぞれが軸方向に並んで位置している構造であることを特徴とする雄ねじである。
【００１４】
本発明に係る請求項３は雄ねじであり、ねじ山の中心に全周スリットが入っており、ねじ山の１ピッチに１箇所ずつ幅が広い方と幅が狭い方とが交互に現れそれぞれが軸方向に並んで位置している構造であることを特徴とする雄ねじである。
【００１５】
本発明に係る請求項４は請求項１、２及び３の雄ねじのねじ山の製造方法であり、ねじ素材に所望のピッチの１／２のピッチかつ所望のねじ条数の２倍の条数のねじ溝を転造する第１転造工程と、前記第１転造工程において成形したねじ溝を１本おきに、谷部として形成し、第１転造工程で形成した２条のねじ山を寄せ合わせて山頂に沿ってスリットを有する１条のねじ山として形成する第２転造工程とがあるスリット入りねじの製造方法において、第３転造工程として一部のねじ山形成溝の谷底寄りのフランク面の幅が他の部分のねじ山形成溝より狭くなった平ダイスを用いて、スリットによって分断されたねじ山をねじ山の中心に向かって更に寄せることで、同一の雄ねじにスリットが開いたねじ山だけでなくスリットが閉じたネジ山やスリット幅が狭いねじ山も形成することを可能にする請求項１、２及び３に記載の雄ねじの製造方法。
【００１６】
本発明に係る請求項５は頭部と軸部からなる雄ねじであり、軸部にはねじ山を有し、一部のねじ山のフランク面に法線方向に突出する凸部が設けられていることを特徴とし、凸部を有するねじ山は雄ねじの軸の一方の半周未満の範囲に偏って配置されており、少なくとも凸部が設けられている所以外のねじ山の中心にはスリットが入っていることを特徴とする雄ねじである。
【発明の効果】
【００１７】
本発明に係る請求項１の雄ねじは締結回転時に雌ねじのねじ溝に引っ掛かるのが雌ねじのねじ溝の幅よりねじ山の幅が大きい方のみであるため従来のセルフロックねじよりばね効果による抵抗が少なくなり、挿入しやすく作業性が良くなる。
【００１８】
本発明に係る請求２の雄ねじは、ねじ山のスリットが開いた方から閉じた方へと径方向に一方的に力が加わり雄ねじと雌ねじの軸線が相対的にずれ動き、開いた方に余裕が生じるため、開いた方のねじ山の幅が対応する雌ねじのねじ溝の幅より大きくてもねじ山の収納が容易になり許容公差の範囲が従来のセルフロックねじより広くなる。
【００１９】
本発明に係る請求項２の雄ねじはスリットが開いた方から閉じた方へと径方向に一方的に力が加わり、雄ねじと雌ねじの軸線が相対的にずれ動いた状態で固定されるため緩みにくい。
【００２０】
従来のセルフロックねじではスリット入りのねじ山がそのばね効果で雌ねじのねじ溝に収まる大きさへと収縮する仕組みのみであり、本発明に係る請求項３の雄ねじのねじ山もスリットの幅が広くそのぶんねじ山の幅が広い方（以下、広い方と呼称）は従来のものと同様の仕組みであるが、スリットの幅が狭くその分ねじ山の幅が狭い方（以下、狭い方と呼称）では、始めから雌ねじのねじ溝に収まる大きさであったとしても、広い方から軸線を経て外方へと径方向に一方的に押し付けられれば、その大きさより更に小さく収縮することが可能な仕組みである点が特願平１１−２５４０７９を含めた従来のセルフロックねじとは異なり、許容公差の範囲を本発明に係る請求項２のセルフロックねじより更に大きくできる。
【００２１】
本発明に係る請求項４の製造方法によれば、雄ねじのねじ山の幅が全周同じである必要がなくなり、フランク面の角度を変えることができ今まで転造加工では難しいとみなされてきたことが可能になる。
【００２２】
本発明に係る請求項５の雄ねじには全周スリットが有り弾性変形が期待できるので、特開７−２５９８３３に示される従来例のように雌ねじのフランク面を傷つける恐れがなく、凸部が１ピッチで１箇所ずつに限定されており、かつ軸方向に並んでいて、かつ凸部を有する変形部のねじ山の幅は雌ねじのねじ溝の幅より広いが、未変形部のねじ山の幅は雌ねじのねじ溝の幅より狭いので、径方向に力が加わると雄ねじと雌ねじの軸が相対的にずれ効果的な緩み止めをすることができる。
【００２３】
本発明に係る請求項５の雄ねじは、請求項２及び請求項３のようにスリットの幅を微妙に変化させる必要がなく、許容公差の範囲をより大きくできる可能性がある。
【図面の簡単な説明】
【００２４】
【図１】実施例１の雄ねじの構造を説明する図である。
【図２】実施例１の雄ねじの軸部のねじ山の特徴を説明する図。
【図３】実施例１の雄ねじの開いた方のねじ山の形状を説明する図。
【図４】実施例１の雄ねじの閉じた方のねじ山の形状を説明する図。
【図５】実施例１に必要なダイスの特徴を説明する図。
【図６】実施例１の雄ねじを製造する際に必要なダイスのねじ溝の特徴を説明する別の図。
【図７】実施例２の雄ねじのねじ山の構造を説明する図。
【図８】実施例３の雄ねじねじ山の構造を説明する軸方向の図である。
【図９】実施例３の雄ねじの広い方のねじ山の形状を説明する図。
【図１０】実施例３の雄ねじの狭い方のねじ山の他の形状を説明する図。
【図１１】実施例４の雄ねじのねじ山の構造を説明する図。
【図１２】実施例５の雄ねじの構造を説明する図。
【図１３】実施例５の雄ねじのねじ山の構造を説明する径方向断面図。
【図１４】実施例５の雄ねじのねじ山の構造を説明する軸方向拡大図。
【図１５】実施例５の雄ねじの凸部以外の部分のねじ山の形状を説明する図。
【図１６】実施例５の雄ねじの凸部のねじ山の形状を説明する図。
【図１７】実施例５の雄ねじの製造方法を説明する図
【図１８】実施例５の雄ねじの製造に用いる固定ダイスの正面図
【図１９】実施例５の雄ねじの製造に用いる固定ダイスの終端部の拡大図
【図２０】実施例６の雄ねじの実施例。
【図２１】実施例７の雄ねじの実施例。
【図２２】実施例８の雄ねじの実施例。
【図２３】実施例９の雄ねじの実施例。
【図２４】実施例１〜９の雄ねじのねじ山の他の形状を説明する。
【図２５】汎用の雄ねじのねじ山を示す図。
【発明を実施するための形態】
【００２５】
破壊性、耐疲労性に優れた製品を提供するとともに、通常の雄ねじと同様の締結方法でゆるみ止め効果を発揮するねじを提供する目的で雌ねじのねじ溝より、ねじ山の幅が大きい方と小さい方が交互に現れる雄ねじを設け、該大きいねじ山はねじの軸の片側の半周に偏在しているので該大きいねじ山の方の雌ねじのねじ山に強い摩擦力が掛かり、締結固定時に一方から径方向に力が掛かるようにする。
【００２６】
本発明に係る雄ねじの実施形態を図面を用いて詳しく以下に説明する
【実施例１】
【００２７】
雄ねじ１の構造は図１に示す通り頭部２と軸部３からなり軸部３にはねじ山４が設けられている。
【００２８】
図２は図１の軸部３を拡大したものでねじ山４の螺旋には１周毎に一箇所ずつねじ山４の中心にスリット５が開いた方 ６とスリットが閉じた方７が交互に、それぞれが軸方向に並んで位置していることを特徴とする。
【００２９】
図３に示す通り本実施例の雄ねじのねじ山の大きさについては締結回転時にスリット５が開いた方６のねじ山の両フランク面８が締結時において弾性変形して雌ねじの対応する面９と接触するよう、対応する呼び径Ａ（図２５参照）の雌ねじのねじ溝１０の幅より大きく外側に若干張り出しており、とりわけそのねじ山の頂側のフランク面１１が谷底側のフランク面１２より張り出しており、締結時に工具を用いればスリット５が収縮して、雌ねじのねじ溝に入る程度で外側に張り出す大きさにする必要があるので、ねじ山の頂側のフランク面７においてねじ山の幅Ｂは各々の呼び径Ａの所定のピッチ（図２５参照）の長さＣの８分の１〜１０分の１程度の長さだけ余分に対応する雌ねじ溝のフランク面の幅より外側に張り出すようにする。
【００３０】
図４に示す通り、ねじ山のスリット５が閉じた方７は少なくとも開いた方６から径方向に押さえつけられ雄ねじと雌ねじの軸が相対的にずれない限りは、閉じた方７の雄ねじのねじ山の両フランク面８が同時に雌ねじの対応する面９と接触することがない。つまりスリット５が閉じた方７のねじ山の幅は対応する呼び径の雌ねじのねじ溝１０の幅の大きさかそれより小さい。
【００３１】
上記のようにする理由はスリットが閉じた方７のねじ山はスリットによる弾性が失われるので、雄ねじのねじ山の幅が雌ねじのねじ溝１０の幅より大きいと、雄ねじのねじ径が許容公差の上限で雌ねじの径が許容公差の下限の場合、つまり一番すき間がない時に、雄ねじが雌ねじに上手く入らない恐れがあるからである。
【００３２】
スリットが開いた方６と閉じた方７のねじ山の円周に占める割合は、閉じた方の割合を開いた方より大きくし、閉じた方を６割開いた方を４割にするのが良い。
【００３３】
図２に示すスリットが閉じた方７のねじ山のフランク角Ｄは雌ねじの溝と両フランク面でぴったりくっつくよう６０度が望ましく、そうすると開いた方のフランク角はそれより若干緩やかな５６〜５８度になる。
【００３４】
上記のようにする理由は、汎用のねじでは雄ねじと雌ねじのフランク面が面接触させるためには全周フランク角は６０度にするのが理想的であり、閉じた方７のねじ山は汎用ねじのようにねじ山に弾性がないので面接触させるため６０度にし、開いた方６はねじ山を撓ませたいし、ねじ山が撓めば対応する雌ねじのフランク面と面接触にさせられるからフランク角を６０度以下にする。
【００３５】
ねじ山の中心にスリットを有するセルフロックねじのねじ山の製造方法は、まずねじ素材に所望のねじピッチの１／２のピッチかつ所望のねじ条数の２倍の条数のねじ溝を転造する第１転造工程と、前記第１転造工程において形成したねじ溝を１本おきに谷部として形成し、第１転造工程で形成した２条のねじ山を２山ずつで集合させ、その山頂に沿って中心にスリットを有する１条のねじ山として形成する第２転造工程の２段階に分けるという従来からある方法を用いる。（特許文献３参照）
【００３６】
従来のセルフロックねじにはない本実施例のねじ山に特有な製造方法は、第２工程は上述の通り元々ねじ山をその中心に向かって寄せる工程であるが、ねじの螺旋の各周の同じ部位においてスリットが閉じるよう、上述のダイスを用いて第３工程として、更にねじ山の中心に向かってねじ山形成溝の両側のフランク面からねじ山を寄せることでスリットが開いた方と閉じた方が周回する毎に交互に一度ずつ現れるねじ山を設ける。
【００３７】
本明細書における各実施例ではスリットが閉じた方または狭い方のねじ山を形成するために用いる転造平ダイス１３であるが図５に示す固定ダイスまたは移動ダイスの少なくとも一方のねじ面１４のねじ山形成溝１５の逃げ部Ｇに近い方の仕上げ部Ｆの一部に、ねじ山の外周の長さの半分以上だが全周未満の幅に亘り、図５と６に示す通り他より溝幅が狭い部分１６が存在するダイスを用いる。
【００３８】
加工の都合上、スリットが開いた方と閉じた方の境にスリットが半分閉じかけた、どちらともつかないねじ山が若干の割合で存在する。
【００３９】
ねじ山の形状の差異はスリットを閉じるか否かによってのみ生じるものであり、特にねじ山の幅に違いが出る。
【実施例２】
【００４０】
本実施例のようにスリットが開いた方６と閉じた方７は図７のように徐々に開いたり閉じたりする構造にしても良い。
【００４１】
本実施例の場合も径方向への雄ねじと雌ねじの軸線が相対的にずれるのを妨げないように、円周の６割程度のねじ山は雌ねじのねじ溝の幅より、図４あるいは後述の図１０のように雄ねじのねじ山の幅Ｂの方が小さく、円周の４割程度のねじ山は図３のように雌ねじのねじ溝よりもねじ山の幅Ｂが大きくなるように作る必要がある。
【００４２】
本明細書に係る実施例１、２において、スリットが閉じた方とは、閉じ合わせることによって、スリットの痕跡が外見上認められなくなる場合をも含みその場合は本実施例でのスリットが開いた方とスリットが閉じた方はそれぞれスリットが存在する方と存在しない方を意味する。
【実施例３】
【００４３】
本実施例の雄ねじは本明細書に係る実施例１と軸部のねじ山の構造が異なり図８に示す通り、ねじ山の中心に全周スリットが入っているが、スリットの幅が一様ではなく、ねじ山の螺旋が一周する毎に一箇所ずつ幅が広い方１７と幅が狭い方１８が交互に、それぞれが軸方向に並んで位置している構造であることを特徴とする。
【００４４】
本実施例の雄ねじのねじ山は、スリットの幅が広くそのぶんねじ山の幅が大きい方（以下、広い方と呼称）は図９のように、そのフランク面が、雌ねじのねじ溝に接触する形状であり、スリットの幅が狭くその分ねじ山の幅が小さい方１８（以下、狭い方と呼称）は図１０のように、雌ねじのねじ溝の幅と同じ幅にするかそれより若干小さい程度にする。
【００４５】
広い方のねじ山１７は、締結時に手では固くて入らないが工具を用いればスリットが収縮して、雌ねじのねじ溝に入る程度で、ねじ山の両フランク面８が外側に張り出す大きさにする必要があり、ねじ山の頂側のフランク面１１においてねじ山の幅が対応する雌ねじのねじ溝の幅Ｈより、各々の呼び径のねじのピッチの長さの８分の１〜１０分の１程度の長さで、外側に張り出すようにする。
【００４６】
狭い方のねじ山１８のフランク角は６０度にし、広い方のフランク角は５７〜５９度にすると良い。
【００４７】
本実施例の雄ねじの円周上に占めるスリットの幅が広い方と狭い方の割合は、狭い方の割合を大きくし、それぞれ広い方が４割、狭い方が６割とすると作業性が良くなる。
【００４８】
本実施例に係る雄ねじのねじ山を製造する方法は、本発明に係る請求項４に記載してある通り本発明に係る請求項２のねじ山の製造方法の一部を変更し、第３転造工程でねじ山をその中心に向かって寄せる際に、スリットを閉じる代わりに、スリットの幅を狭くすることで可能である。
【実施例４】
【００４９】
本実施例は本明細書に係る実施例３とはスリットの幅が広い方と狭い方の接続の仕方が異なり、図１１に示す通り、スリットの幅が広い方１７と狭い方１８が徐々に変遷して境目がなく接続する。スリット幅の拡大と縮小を螺旋が半周毎に繰り返す構造である。
【００５０】
本実施例の場合も径方向への雄ねじと雌ねじの軸線が相対的にずれるのを妨げないように、円周の６割程度は雌ねじのねじ溝より、雄ねじのねじ山の方がその幅が小さく４割程度は雌ねじのねじ溝よりもねじ山の幅が大きくなるように作る必要がある。
【実施例５】
【００５１】
本実施例の雄ねじ１は、図１２で示す通り、頭部２と軸部３から成り軸部３にはねじ山４が存在し、ねじ山４の中心には全周スリット５が均一の幅で入っており、ねじ山４のフランクＩの法線方向Ｊ（図２５参照）および軸部３の径方向に突出する凸部１９がねじ山４に１ピッチに一箇所ずつ軸方向に並んで設けられている。図１３，１４は凸部１９の形状を明確にするために、図１２とは別の方向から凸部１９を見た図であり、図１３は軸部３の径方向の断面図、図１４は図１３のＸ方向矢視図である。本実施例では前記軸部３の先端側においては、ねじ山４に前記凸部１９は設けられていない。
【００５２】
本実施例において凸部１９が設けられていない部分のねじ山４の幅は図１５で示す通り雌ねじのねじ溝１０の幅を超えない大きさにする。
【００５３】
凸部１９が設けられている部分ではねじ山の幅が少なくとも  ねじ山の頂側のフランク面１１において図１６のように雌ねじのねじ溝１０の幅を超える大きさにする。
【００５４】
次に本実施例のねじの製造方法であるが、図１７に示す通り汎用のねじと同様に、固定ダイス２０と移動ダイス２１の間をねじブランク２２が転がってねじが形成される。
【００５５】
本実施例のねじの製造方法は特徴的な固定ダイスを用いることに特徴がある。まず図１７、１８はそれぞれ固定ダイスを上と横から見た図であり固定ダイス２０の終端部２３に特徴がある。図１９は終端部の拡大図であるがダイス面の頂部２４から急に落ち込む部分２５が存在する。落ち込む部分２５をねじが通過する際に凸部１９が形成される。
【００５６】
なお本実施例では凸部１９を頭部２側のねじ山にのみ設けているが、軸先の方まで設ける場合も図示はしないが含む。
【００５７】
本実施例において凸部１９を形成する際に、円周の凸部１９が設けられる部分だけ、ねじ山のスリットの幅が狭まったりあるいは塞がったりという変形を受ける場合は本実施例の雄ねじの構造の説明におけるねじ山全周に均一な幅のスリット入りが入ったねじ山とは凸部１９が存在する部分以外のねじ山全周に均一の幅のスリットが入っているという意味である。
【００５８】
本実施例においてねじ山にスリットが入ったままでは凸部１９の成形がうまく行かない場合は、凸部１９を設ける部分の周辺のねじ山だけ、転造工程においてあらかじめねじ山のスリットを直前に塞いで置き間髪入れずに連続してその部分に凸部１９を設けるという製造方法にする。
【実施例６】
【００５９】
本実施例は本明細書に係る実施例５において図２０のように凸部１９が軸部３に微妙に螺旋状に配列されて形成されている場合である。
【００６０】
本実施例は、実施例５より多くの方向の振動にうまく対応し緩み止め効果が上がる。
【００６１】
本明細書に係る実施例５及び６には含まないが、凸部とスリットが入ったねじで凸部をねじ山の各円周に１つずつではなく２つ以上、雄ねじの軸部の円周の一方の半周未満の範囲に寄せて配置することも考えられる。
【００６２】
以上を踏まえて本明細書に係る５及び６の各実施例のねじを再定義し直せば、本発明に係る請求項５は頭部と軸部からなる雄ねじであり、軸部にはねじ山を有し、一部のねじ山のフランク面に法線方向に突出する凸部が設けられていることを特徴とし、凸部を有するねじ山は雄ねじの軸の一方の半周未満の範囲に偏って配置されており、少なくとも凸部が設けられている所以外のねじ山の中心にはスリットが入っていることを特徴とする雄ねじである。
【実施例７】
【００６３】
本明細書に係る実施例１〜４においては雄ねじのねじ山の幅が雌ねじのねじ溝の幅より広くスリットが開いた方６はいずれも円周の４割であったが、本実施例では各円周におけるその割合を２割にして、図２１に示す通り軸部全体では円周の４割の範囲内で開いた方６を螺旋状に並べて配置する場合である。
【実施例８】
【００６４】
本実施例では図２２に示す通り、ねじ山の幅が雌ねじのねじ溝の幅より広くスリットが開いた方６の各円周における割合を２割にして、軸部全体では円周の４割の範囲内で開いた方６を交互に並べて配置する場合である。
【実施例９】
【００６５】
本実施例では図２３のように１山おきに、雌ねじのねじ溝の幅より広くスリットが開いた方６を配置する場合である。
【００６６】
上記の実施例７〜９のようにすれば緩み止めの機能はそのままで、締結作業でねじを回転させながら挿入する際に必要な力が軽減できる可能性がある。
【００６７】
本明細書に係る１〜４の各実施例において、スリットが開いた方あるいは広く開いた方のねじ山とスリットが閉じた方あるいはスリットの幅が狭い方を軸方向に並べるのは雄ねじまたは雌ねじの径方向への動きを妨げないようにするのが本発明の趣旨だからであり、妨げない範囲であれば上記の実施例７〜９ように、必ずしも軸方向に並んでいなくても構わないし、各周に必ず雌ねじのねじ溝の幅より広いねじ山が必要なわけでもなく、円周の５割未満の範囲であれば構わないことになる。
【００６８】
以上を踏まえて本明細書に係る１〜４と７〜９の各実施例のねじを再定義し直せば、頭部と軸部からなる雄ねじであり、軸部には雌ねじのねじ溝の幅より少なくともねじ山の頂側のフランク面においてそのねじ山の幅が大きいねじ山と、雌ねじのねじ溝の幅よりねじ山の幅が小さいねじ山の２種が存在し、少なくとも該大きいねじ山の中心にはスリットが入っており、該大きいねじ山と該小さいねじ山は交互に現れ、該大きいねじ山は雄ねじの軸の一方の半周未満の範囲にのみ存在する雄ねじ。
である。
【００６９】
本明細書に係る実施例６と実施例７が似ているのは偶然ではなく根本的な考え方が同じであることを意味し、発明の単一性を裏付けるものである。
【００７０】
以上本発明の各実施例について説明したが、本明細書に係る実施例１〜９の雄ねじのねじ山の構造は、図２４で示す通り、ねじ山の谷底側のフランク面１２が削られている形状の場合も含み、図２４ではスリットが開いたねじ山で示してあるが、全周に亘りそのような形状にする場合を含む。
【００７１】
理由は本発明のねじは締結時に軸力が掛かり雄ねじと雌ねじの軸線が径方向に若干ずれることが想定されているが、ねじ山の谷底側のフランク面１２を削れば図３で示すところのねじ山の頂側のフランク面１１が雌ねじの対応する面９と面接触する代わりに谷底側のフランク面１２が図２４で示すところの雌ねじの溝の谷底側の角Ｋに引っかかって点接触になってしまうという事態になるのを確実に回避できるという利点がある。
【００７２】
またねじ山の谷底側のフランク面１２を削ればねじ山が弾性変形しやすいとい
う利点もある。
【００７３】
本明細書に係る１〜４及び７〜９の各実施例の雄ねじのねじ山については、締結作業時に雄ねじと雌ねじを螺合させやすくするため、軸先から数山は全周スリットが閉じたねじ山にし、途中から上記に記述の特徴あるねじ山にしても良い。
【００７４】
本発明はこのような実施例に何等限定されるものではなく、本発明の要旨を逸脱しない範囲において種々なる態様で実施しうることはもちろんであり、とりわけ本明細書の各実施例のねじ山やスリットの形状は説明のため特徴を端的に示したものであり必ずしも実際を忠実に反映するものではない。
【００７５】
本明細書では、異なる実施例でも同様なものを意味する場合は、同一の符号を付した。
【産業上の利用可能性】
【００７６】
本発明の締結部材は、車輌や様々な装置、建築物等における締結部材または締結構造として広く利用することができる。
【符号の説明】
【００７７】
１  雄ねじ
２  頭部
３  軸部
４  ねじ山
５  スリット
６  開いた方 
７  閉じた方
８  両フランク面
９  雌ねじの対応する面
１０  雌ねじのねじ溝
１１  ねじ山の頂側のフランク面
１２  谷底側のフランク面
１３  転造平ダイス
１４  ねじ面
１５  ねじ山形成溝
１６  他より溝幅が狭い部分
１７  幅が広い方
１８  幅が狭い方
１９  凸部
２０  固定ダイス
２１  移動ダイス
２２  ねじブランク
２３  終端部
２４  頂部
２５  急に落ち込む部分
Ａ  呼び径
Ｂ  ねじ山の幅
Ｃ  ピッチの長さ
Ｄ  フランク角
Ｅ  食いつき部
Ｆ  仕上げ部
Ｇ  逃げ部
Ｈ  雌ねじのねじ溝の幅
Ｉ  フランク
Ｊ  フランクの法線方向
Ｋ  雌ねじの溝の谷底側の角
【図９】
2015187493.tif 000003
【図１０】
2015187493.tif 000004
【図１３】
2015187493.tif 000005
【図１】
2015187493.tif 000006
【図２】
2015187493.tif 000007
【図３】
2015187493.tif 000008
【図４】
2015187493.tif 000009
【図５】
2015187493.tif 000010
【図６】
2015187493.tif 000011
【図７】
2015187493.tif 000012
【図８】
2015187493.tif 000013
【図１１】
2015187493.tif 000014
【図１２】
2015187493.tif 000015
【図１４】
2015187493.tif 000016
【図１５】
2015187493.tif 000017
【図１６】
2015187493.tif 000018
【図１７】
2015187493.tif 000019
【図１８】
2015187493.tif 000020
【図１９】
2015187493.tif 000021
【図２０】
2015187493.tif 000022
【図２１】
2015187493.tif 000023
【図２２】
2015187493.tif 000024
【図２３】
2015187493.tif 000025
【図２４】
2015187493.tif 000026
【図２５】
2015187493.tif 000027
【手続補正書】
【提出日】平成27年4月11日(2015.4.11)
【手続補正１】
【補正対象書類名】特許請求の範囲
【補正対象項目名】全文
【補正方法】変更
【補正の内容】
【特許請求の範囲】
【請求項１】
頭部と軸部からなる雄ねじであり、ねじ山の幅が大きいねじ山と、ねじ山の幅が小さいねじ山の２種が存在し、大きい方はねじ山の中心にスリットが開いており、小さい方はスリットが閉じており、少なくともねじ山の幅が大きい方は雌ねじのねじ溝の幅より大きく、当該大小のねじ山はねじ山の螺旋が一周する毎に１箇所ずつ交互に存在し、大きい方のねじ山はねじの軸の半周に偏在している構造であることを特徴とする雄ねじ。  
【請求項２】
頭部と軸部からなる雄ねじであり、ねじ山の中心に全周スリットが入っており、スリットの幅の違いによりねじ山の幅が大きいねじ山と、ねじ山の幅が小さいねじ山の２種が存在し、少なくともねじ山の幅が大きい方は雌ねじのねじ溝の幅より大きく、当該大小のねじ山はねじ山の螺旋が一周する毎に１箇所ずつ交互に存在し、それぞれが軸方向に並んで位置していることを特徴とする雄ねじ。
【請求項３】
ねじ素材に所望のピッチの１／２のピッチかつ所望のねじ条数の２倍の条数のねじ溝を転造する第１転造工程と、前記第１転造工程において形成したねじ溝を１本おきに、谷部として成形し、第１転造工程で成形した２条のねじ山を寄せて山頂に沿ってスリットを有する１条のねじ山として成形する第２転造工程とから成るスリット入りねじの製造方法において、第３工程として一部のねじ山形成溝の幅が他の部分のねじ山形成溝より狭くなった平ダイスを用いて、スリットによって分断されたねじ山をねじ山の中心に向かって更に寄せることで、同一の雄ねじにスリットが開いたねじ山だけでなくスリットが閉じたネジ山やスリットの幅が狭いねじ山も形成することを可能にする雄ねじの製造方法。   
【手続補正２】
【補正対象書類名】明細書
【補正対象項目名】００１２
【補正方法】変更
【補正の内容】
【００１２】本発明に係る請求項１と２は頭部と軸部からなる雄ねじであり、軸部には雌ねじのねじ溝の幅より少なくともねじ山の頂側のフランク面においてそのねじ山の幅が大きいねじ山と、雌ねじのねじ溝の幅と同じかよりねじ山の幅が小さいねじ山の２種が存在し、少なくとも該大きいねじ山の中心にはスリットが入っており、該大きいねじ山と該小さいねじ山は交互に現れ、該大きいねじ山は雄ねじの軸の片側の半周に偏在している雄ねじである。
【手続補正３】
【補正対象書類名】明細書
【補正対象項目名】００１３
【補正方法】変更
【補正の内容】
【００１３】本発明に係る請求項１は雄ねじのねじ山の構造であり、ねじ山の１ピッチに１箇所ずつねじ山の中心にスリットが開いた方とスリットとが閉じた方とが交互に現れ、それぞれが軸方向に並んで位置している構造であることを特徴とする雄ねじである。  
【手続補正４】
【補正対象書類名】明細書
【補正対象項目名】００１４
【補正方法】変更
【補正の内容】
【００１４】本発明に係る請求項２は雄ねじであり、ねじ山の中心に全周スリットが入っており、ねじ山の１ピッチに１箇所ずつ幅が広い方と幅が狭い方とが交互に現れそれぞれが軸方向に並んで位置している構造であることを特徴とする雄ねじである。
【手続補正５】
【補正対象書類名】明細書
【補正対象項目名】００１５
【補正方法】変更
【補正の内容】
【００１５】本発明に係る請求項３は請求項１及び２の雄ねじのねじ山の製造方法であり、ねじ素材に所望のピッチの１／２のピッチかつ所望のねじ条数の２倍の条数のねじ溝を転造する第１転造工程と、前記第１転造工程において成形したねじ溝を１本おきに、谷部として形成し、第１転造工程で形成した２条のねじ山を寄せ合わせて山頂に沿ってスリットを有する１条のねじ山として形成する第２転造工程とがあるスリット入りねじの製造方法において、第３転造工程として一部のねじ山形成溝の谷底寄りのフランク面の幅が他の部分のねじ山形成溝より狭くなった平ダイスを用いて、スリットによって分断されたねじ山をねじ山の中心に向かって更に寄せることで、同一の雄ねじにスリットが開いたねじ山だけでなくスリットが閉じたネジ山やスリット幅が狭いねじ山も形成することを可能にする請求項１及び２に記載の雄ねじの製造方法。
【手続補正６】
【補正対象書類名】明細書
【補正対象項目名】００１７
【補正方法】変更
【補正の内容】
【００１７】本発明に係る請求項１と２の雄ねじは締結回転時に雌ねじのねじ溝に引っ掛かるのが雌ねじのねじ溝の幅よりねじ山の幅が大きい方のみであるため従来のセルフロックねじよりばね効果による抵抗が少なくなり、挿入しやすく作業性が良くなる。
【手続補正７】
【補正対象書類名】明細書
【補正対象項目名】００１８
【補正方法】変更
【補正の内容】
【００１８】本発明に係る請求項１の雄ねじは、ねじ山のスリットが開いた方から閉じた方へと径方向に一方的に力が加わり雄ねじと雌ねじの軸線が相対的にずれ動き、開いた方に余裕が生じるため、開いた方のねじ山の幅が対応する雌ねじのねじ溝の幅より大きくてもねじ山の収納が容易になり許容公差の範囲が従来のセルフロックねじより広くなる。
【手続補正８】
【補正対象書類名】明細書
【補正対象項目名】００１９
【補正方法】変更
【補正の内容】
【００１９】本発明に係る請求項１と２の雄ねじはスリットが開いた方から閉じた方へと径方向に一方的に力が加わり、雄ねじと雌ねじの軸線が相対的にずれ動いた状態で固定されるため緩みにくい。
【手続補正９】
【補正対象書類名】明細書
【補正対象項目名】００２０
【補正方法】変更
【補正の内容】
【００２０】従来のセルフロックねじではスリット入りのねじ山がそのばね効果で雌ねじのねじ溝に収まる大きさへと収縮する仕組みのみであり、本発明に係る請求項２の雄ねじのねじ山もスリットの幅が広くそのぶんねじ山の幅が広い方（以下、広い方と呼称）は従来のものと同様の仕組みであるが、スリットの幅が狭くその分ねじ山の幅が狭い方（以下、狭い方と呼称）では、始めから雌ねじのねじ溝に収まる大きさであったとしても、広い方から軸線を経て外方へと径方向に一方的に押し付けられれば、その大きさより更に小さく収縮することが可能な仕組みである点が特願平１１−２５４０７９を含めた従来のセルフロックねじとは異なり、許容公差の範囲を本発明に係る請求項１のセルフロックねじより更に大きくできる。
【手続補正１０】
【補正対象書類名】明細書
【補正対象項目名】００２１
【補正方法】変更
【補正の内容】
【００２１】本発明に係る請求項３の製造方法によれば、雄ねじのねじ山の幅が全周同じである必要がなくなり、フランク面の角度を変えることができ今まで転造加工では難しいとみなされてきたことが可能になる。
【手続補正１１】
【補正対象書類名】明細書
【補正対象項目名】００４８
【補正方法】変更
【補正の内容】
【００４８】本実施例に係る雄ねじのねじ山を製造する方法は、本発明に係る請求項１のねじ山の製造方法の一部を変更し、第３転造工程でねじ山をその中心に向かって寄せる際に、スリットを閉じる代わりに、スリットの幅を狭くすることで可能である。
【手続補正１２】
【補正対象書類名】明細書
【補正対象項目名】００１６
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】